(57)【要約】      （修正有）【課題】本体と握り部の間に設けられている緩衝用ブッシュにより、化粧具の振動および回転が安定化される化粧装置を提供する。【解決手段】本体１０と、握り部２０と、緩衝用ブッシュ３０と、主軸４０と、ブッシュ５０と、化粧具６０と、回動ロッド７０と、を含む化粧装置において、前記本体は、振動モータモジュール１１と、蓋１２と、を含み、前記握り部は、前記振動モータモジュールを覆っており、前記緩衝用ブッシュは、前記本体と前記握り部との間に嵌め設けられており、前記主軸は、一端には環状突起４１が設けられており、前記環状突起の最大の直径は、前記主軸の外径よりも大きくて円形断面窪み１２２の内径よりもやや小さく、前記ブッシュは、前記円形断面窪みの側壁と前記主軸との間に嵌め設けられており、前記回動ロッドは、前記主軸の前記環状突起から遠ざかった一端と前記化粧具との間に連結されており、振動モータ１１１は、回転軸と、偏心ブロックと、を有する。【選択図】図１
0003151147.tif 000002
【実用新案登録請求の範囲】
【請求項１】
本体と、握り部と、緩衝用ブッシュと、主軸と、ブッシュと、化粧具と、回動ロッドと、を含む化粧装置において、
前記本体は、振動モータモジュールと、蓋と、を含み、前記振動モータモジュールは、振動モータと、スイッチと、電源と、ケースと、を含み、前記振動モータ及び前記電源が前記ケース内に設けられており、前記ケースは結合部を有し、前記スイッチは、前記振動モータと前記電源との電気的な連接状態を制御するためのものであり、前記蓋は、一端が前記結合部と結合しており、他端にはその軸方向に沿って伸びている延長用台が凸設されており、前記延長用台の自由端には、その軸方向に沿う円形断面窪みが凹設されており、
前記握り部は、前記振動モータモジュールを覆っており、
前記緩衝用ブッシュは、前記本体と前記握り部との間に嵌め設けられており、
前記主軸は、一端には環状突起が設けられており、前記環状突起の最大の直径は、前記主軸の外径よりも大きくて前記円形断面窪みの内径よりもやや小さく、前記環状突起は前記円形断面窪みの内部に回動可能であり、前記主軸の他端はその軸方向に沿って前記円形断面窪みの外部に突出しており、
前記ブッシュは、前記円形断面窪みの側壁と前記主軸との間に嵌め設けられており、その内径が前記環状突起の最大の直径よりも小さく、
前記回動ロッドは、前記主軸の前記環状突起から遠ざかった一端と前記化粧具との間に連結されており、
前記振動モータは、前記振動モータに駆動される回転軸と、重心が前記回転軸からずれている偏心ブロックと、を有することを特徴とする、化粧装置。
【請求項２】
前記回動ロッドの両端には、第一収容空間と、第二収容空間と、がそれぞれ開設されており、前記第一収容空間には前記延長用台が収容されており、前記第二収容空間には、前記化粧具の一端が脱着自在に組み付けられており、前記回動ロッドは、更に、前記第一収容空間と連通している第三収容空間を有し、前記第三収容空間は、前記主軸の前記環状突起から遠ざかった一端と連結していることを特徴とする、請求項１に記載の化粧装置。
【請求項３】
更に、光源を含み、前記光源は、前記本体に設けられており、前記化粧具に光線を投射可能であり、前記電源との電気的な連接状態が前記スイッチに制御されることを特徴とする、請求項１に記載の化粧装置。
【請求項４】
更に、ビンを含み、前記ビンは、前記化粧具を収容可能であり、その開口が前記蓋に封止されることができることを特徴とする、請求項１に記載の化粧装置。
【請求項５】
前記スイッチは、押上ロッドと、前記押上ロッドに設けられている絶縁片と、前記ケースに固定されている連接台と、上バネと、下バネと、を有し、前記押上ロッドの一端が前記連接台に貫入されており、前記押上ロッドの前記連接台から遠ざかった一端には押上エッジが設けられており、前記上バネの両端は前記押上エッジと前記絶縁片とにそれぞれ押付けており、前記下バネの両端は前記絶縁片と前記連接台とにそれぞれ押付けており、前記絶縁片により、前記電源と前記振動モータとの電気的な連接状態を切替えることができることを特徴とする、請求項１に記載の化粧装置。
【請求項６】
前記スイッチは、切替部と、片状バネと、絶縁具と、を含み、前記切替部は、前記握り部の周縁に設けられており、直線的に変位可能であり、前記片状バネは前記電源と前記振動モータとを電気的に連接しており、前記絶縁具は、連結ユニットを介して前記切替部と連動可能であり、前記片状バネと前記振動モータとの電気的な連接状態を切替えることができることを特徴とする、請求項１に記載の化粧装置。
【請求項７】
更に、延長用ブッシュを含み、前記延長用ブッシュの一端が前記延長用台の自由端と連接しており、前記延長用ブッシュの内部には軸穴が開設されており、前記回動ロッドは、連接端と、外径が前記軸穴の内径よりも大きいヘッド部と、を有し、前記連接端は、前記軸穴に収容されており、その軸方向に沿う第四収容空間が開設されており、前記主軸の前記環状突起から遠ざかった一端が前記第四収容空間によって前記連接端と連接しており、前記ヘッド部には、その軸方向に沿う第五収容空間が開設されており、前記化粧具の一端が前記第五収容空間によって前記ヘッド部に脱着自在に組み付けられており、前記連接端と前記軸穴との間にはパッキンが設けられていることを特徴とする、請求項１に記載の化粧装置。
【請求項８】
前記ブッシュは、その一部が前記円形断面窪みの外部に突出しており、前記延長用ブッシュの軸穴に固定されていることを特徴とする、請求項７に記載の化粧装置。
【請求項９】
前記緩衝用ブッシュには、その半径方向に沿う切込みが開設されており、前記切込みにより前記連結ユニットが前記緩衝用ブッシュに挿入可能であることを特徴とする、請求項６に記載の化粧装置。
【考案の詳細な説明】
【技術分野】
【０００１】
本考案は、化粧装置に係り、特に振動モータによる振動および回転によって化粧することができる化粧装置に関するものである。
【背景技術】
【０００２】
マスカラを付ける従来の振動回転式化粧装置は、バイブレータによってブラシを振動し回転することによりユーザを化粧するものである。しかしながら、このような振動回転式化粧装置によれば、ユーザの握っている部位によって、バイブレータに駆動されるブラシの振動および回転の効果が相違するという問題があった。
【考案の概要】
【考案が解決しようとする課題】
【０００３】
本考案の主な目的は、本体と握り部の間に設けられている緩衝用ブッシュにより、化粧具の振動および回転が安定化される化粧装置を提供することにある。
【課題を解決するための手段】
【０００４】
本考案の請求項１に記載の化粧装置によると、本体と、握り部と、緩衝用ブッシュと、主軸と、ブッシュと、化粧具と、回動ロッドと、を含む化粧装置において、前記本体は、振動モータモジュールと、蓋と、を含み、前記振動モータモジュールは、振動モータと、スイッチと、電源と、ケースと、を含み、前記振動モータ及び前記電源が前記ケース内に設けられており、前記ケースは結合部を有し、前記スイッチは、前記振動モータと前記電源との電気的な連接状態を制御するためのものであり、前記蓋は、一端が前記結合部と結合しており、他端にはその軸方向に沿って伸びている延長用台が凸設されており、前記延長用台の自由端には、その軸方向に沿う円形断面窪みが凹設されており、前記握り部は、前記振動モータモジュールを覆っており、前記緩衝用ブッシュは、前記本体と前記握り部との間に嵌め設けられており、前記主軸は、一端には環状突起が設けられており、前記環状突起の最大の直径は、前記主軸の外径よりも大きくて前記円形断面窪みの内径よりもやや小さく、前記環状突起は前記円形断面窪みの内部に回動可能であり、前記主軸の他端はその軸方向に沿って前記円形断面窪みの外部に突出しており、前記ブッシュは、前記円形断面窪みの側壁と前記主軸との間に嵌め設けられており、その内径が前記環状突起の最大の直径よりも小さく、前記回動ロッドは、前記主軸の前記環状突起から遠ざかった一端と前記化粧具との間に連結されており、前記振動モータは、前記振動モータに駆動される回転軸と、重心が前記回転軸からずれている偏心ブロックと、を有することを特徴とする化粧装置である。
【０００５】
本考案の請求項２に記載の化粧装置によると、前記回動ロッドの両端には、第一収容空間と、第二収容空間と、がそれぞれ開設されており、前記第一収容空間には前記延長用台が収容されており、前記第二収容空間には、前記化粧具の一端が脱着自在に組み付けられており、前記回動ロッドは、更に、前記第一収容空間と連通している第三収容空間を有し、前記第三収容空間は、前記主軸の前記環状突起から遠ざかった一端と連結している。
【０００６】
本考案の請求項３に記載の化粧装置によると、更に、光源を含み、前記光源は、前記本体に設けられており、前記化粧具に光線を投射可能であり、前記電源との電気的な連接状態が前記スイッチに制御される。
【０００７】
本考案の請求項４に記載の化粧装置によると、更に、ビンを含み、前記ビンは、前記化粧具を収容可能であり、その開口が前記蓋に封止されることができる。
【０００８】
本考案の請求項５に記載の化粧装置によると、前記スイッチは、押上ロッドと、前記押上ロッドに設けられている絶縁片と、前記ケースに固定されている連接台と、上バネと、下バネと、を有し、前記押上ロッドの一端が前記連接台に貫入されており、前記押上ロッドの前記連接台から遠ざかった一端には押上エッジが設けられており、前記上バネの両端は前記押上エッジと前記絶縁片とにそれぞれ押付けており、前記下バネの両端は前記絶縁片と前記連接台とにそれぞれ押付けており、前記絶縁片により、前記電源と前記振動モータとの電気的な連接状態を切替えることができる。
【０００９】
本考案の請求項６に記載の化粧装置によると、前記スイッチは、切替部と、片状バネと、絶縁具と、を含み、前記切替部は、前記握り部の周縁に設けられており、直線的に変位可能であり、前記片状バネは前記電源と前記振動モータとを電気的に連接しており、前記絶縁具は、連結ユニットを介して前記切替部と連動可能であり、前記片状バネと前記振動モータとの電気的の連接状態を切替えることができる。
【００１０】
本考案の請求項７に記載の化粧装置によると、更に、延長用ブッシュを含み、前記延長用ブッシュの一端が前記延長用台の自由端と連接しており、前記延長用ブッシュの内部には軸穴が開設されており、前記回動ロッドは、連接端と、外径が前記軸穴の内径よりも大きいヘッド部と、を有し、前記連接端は、前記軸穴に収容されており、その軸方向に沿う第四収容空間が開設されており、前記主軸の前記環状突起から遠ざかった一端が前記第四収容空間によって前記連接端と連接しており、前記ヘッド部には、その軸方向に沿う第五収容空間が開設されており、前記化粧具の一端が前記第五収容空間によって前記ヘッド部に脱着自在に組み付けられており、前記連接端と前記軸穴との間にはパッキンが設けられている。
【００１１】
本考案の請求項８に記載の化粧装置によると、前記ブッシュは、その一部が前記円形断面窪みの外部に突出しており、前記延長用ブッシュの軸穴に固定されている。
【００１２】
本考案の請求項９に記載の化粧装置によると、前記緩衝用ブッシュには、その半径方向に沿う切込みが開設されており、前記切込みにより前記連結ユニットが前記緩衝用ブッシュに挿入可能である。
【考案の効果】
【００１３】
本考案の化粧装置によれば、本体と握り部の間に設けられている緩衝用ブッシュにより、化粧具の振動および回転が安定化されるという効果を有する。
【図面の簡単な説明】
【００１４】
【図１】本考案に係る化粧装置の分解図である。
【図２Ａ】本考案の実施例１の断面図である。
【図２Ｂ】本考案の実施例１の使用状態を示す模式図である。
【図２Ｃ】本考案の実施例２の断面図である。
【図３Ａ】本考案の実施例３の断面図である。
【図３Ｂ】本考案の実施例３の使用状態を示す模式図である。
【図４】本考案の実施例４の分解斜視図である。
【図５Ａ】本考案の実施例４の使用状態を示す模式図である。
【図５Ｂ】図５Ａの別の視点から見た本考案の実施例４の一部の断面図である。
【図６Ａ】本考案の実施例４の使用状態を示す模式図である。
【図６Ｂ】図６Ａの別の視点から見た本考案の実施例４の一部の断面図である。
【考案を実施するための形態】
【００１５】
以下、本考案の実施の形態を図面に基づいて説明する。
【実施例１】
【００１６】
まず、図１を参照する。本考案に係る化粧装置は、本体１０と、握り部２０と、緩衝用ブッシュ３０と、主軸４０と、ブッシュ５０と、化粧具６０と、回動ロッド７０と、を含む。本体１０は、振動モータモジュール１１と、蓋１２と、を含む。
【００１７】
振動モータモジュール１１は、振動モータ１１１と、スイッチ１１２と、電源１１３と、ケース１１４と、を含む。振動モータ１１１及び電源１１３がケース１１４内に設けられており、ケース１１４は蓋１２と結合するための結合部１１５を有する。スイッチ１１２は、振動モータ１１１と電源１１３との電気的な連接状態を制御するためのものである。握り部２０は、振動モータモジュール１１を覆っており、緩衝用ブッシュ３０は、本体１０と握り部２０との間に嵌め設けられている。
【００１８】
本実施例では、スイッチ１１２は、押上ロッド１１６と、押上ロッド１１６に設けられている絶縁片１１７と、ケース１１４に固定されている連接台１１８と、上バネと、下バネと、を有し、押上ロッド１１６の一端が連接台１１８に貫入されており、押上ロッド１１６の連接台１１８から遠ざかった一端には押上エッジ１１９が設けられており、前記上バネの両端は押上エッジ１１９と絶縁片１１７とにそれぞれ押付けており、前記下バネの両端は絶縁片１１７と連接台１１８とにそれぞれ押付けている。
【００１９】
このように、押上ロッド１１６が外力を受けて内側に変位しているときに、絶縁片１１７が下に押付けられて電源１１３と振動モータ１１１との電気的な連接をオフさせ、なお、上記外力が消えると、前記下バネの弾力により押上ロッド１１６が外側に変位するようになり、電源１１３と振動モータ１１１とが電気的に連接するようになって、振動モータ１１１が振動を開始する。前記上バネの代りにプッシュロッドを使用してもよく、且つ前記プッシュロッドの両端は押上エッジ１１９と絶縁片１１７とにそれぞれ押付けている。そうすると、上記と同じ目的を達成することができる。
【００２０】
また、蓋１２は、一端が結合部１１５と結合しており、他端にはその軸方向に沿って伸びている延長用台１２１が凸設されており、延長用台１２１の自由端には、その軸方向に沿う円形断面窪み１２２が凹設されており、円形断面窪み１２２の内径は延長用台１２１の外径よりも小さい。
【００２１】
また、主軸４０は、一端には環状突起４１が設けられており、環状突起４１の最大の直径は、主軸４０の外径よりも大きくて円形断面窪み１２２の内径よりもやや小さく、環状突起４１は円形断面窪み１２２の内部に回動可能であり、主軸４０の他端はその軸方向に沿って円形断面窪み１２２の外部に突出している。ブッシュ５０は、円形断面窪み１２２の側壁と主軸４０との間に嵌め設けられており、その内径が環状突起４１の最大の直径よりも小さく、これにより、環状突起４１が円形断面窪み１２２から脱出することができなくなる。
【００２２】
回動ロッド７０の両端には、第一収容空間７１と、第二収容空間７２と、がそれぞれ開設されており、第一収容空間７１には延長用台１２１が収容されており、第二収容空間７２には、化粧具６０の一端が脱着自在に組み付けられており、回動ロッド７０は、更に、第一収容空間７１と連通している第三収容空間７３を有し、第三収容空間７３は、主軸７０の環状突起４１から遠ざかった一端と連結している。
【００２３】
化粧具６０は、マスカラブラシでもいいし、口紅ブラシでもよい。
【００２４】
次に、図２Ａ及び図２Ｂを参照する。本考案に係る化粧装置は、更に、ビン８０を含み、ビン８０は、化粧具６０を収容可能であり、その開口が蓋に封止されることができ、なお、ビン８０の外面には鏡（図示せず）を設けてもよい。回動ロッド７０が延長用台１２１の全部を覆っているので、ビン内の溶液は延長用台１２１に開設された円形断面窪み１２２に侵入することができない。また、ビン８０がスイッチ１１２の押上ロッド１１６に押付けており、蓋１２とビン８０とを分離すると、ビン８０がスイッチ１１２の押上ロッド１１６に押付けなくなり、このとき、振動モータ１１１を起動する。振動モータ１１１には緩衝用ブッシュ３０が嵌め設けられているので、ユーザの手が握り部２０の何れかの部位を握っても、振動モータ１１１の振動の幅が影響を受けず、一定の調子で回転する。
【実施例２】
【００２５】
また、図２Ｃに示すように、緩衝用ブッシュ３０は、更に、蓋１２の一部を覆い、握り部２０の内部で振動モータモジュール１１を空中に浮いてもよく、そうすると、振動波の吸収程度を最小化することができる。
【実施例３】
【００２６】
次に、図３Ａ及び図３Ｂを参照する。本考案に係る化粧装置は、更に、ＬＥＤ光源９０を含み、ＬＥＤ光源９０は、蓋１２の内部に設けられており、化粧具６０´に光線を投射可能であり、電源１１３との電気的な連接状態がスイッチ１１２に制御される。このように、スイッチ１１２をオンにすると、振動モータ１１１が振動を開始し、ＬＥＤ光源９０が発光する。
【００２７】
本実施例では、スイッチ１１２がビン８０に押付けていることにより振動モータ１１１のオン・オフ状態を制御するが、握り部２０に手動の切替部（図示せず）を設けてもよい。そうすると、ユーザは、手で前記切替部を切替えることによって、振動モータ及び/又はＬＥＤ光源のオン・オフ状態を切替えることができる。
【実施例４】
【００２８】
次に、図４、図５Ａ及び図５Ｂを参照する。本考案に係るスイッチ１１２は、切替部１３と、片状バネ１４と、絶縁具１５と、を含む。切替部１３は、握り部２０の周縁に設けられており、直線的に変位可能であり、片状バネ１４は電源１１３と振動モータ１１１とを電気的に連接しており、絶縁具１５は、連結ユニット１６を介して切替部１３と連動可能であり、緩衝用ブッシュ３０には、その半径方向に沿う切込み３１が開設されており、切込み３１により連結ユニット１６が緩衝用ブッシュ３０に挿入可能であり、このように、絶縁具１５によって片状バネ１４と振動モータ１１１との電気的な連接状態を切替えることができる。切替部１３により絶縁具１５を上下動することができ、片状バネ１４と振動モータ１１１の間から絶縁具１５を離脱することにより、振動モータ１１１の振動が開始する。また、図６Ａ及び図６Ｂに示すように、片状バネ１４と振動モータ１１１の間に絶縁具１５を位置すると、振動モータ１１１の振動が停止する。
【００２９】
本実施例では、本考案に係る化粧装置は、更に、延長用ブッシュ５５を含み、延長用ブッシュ５５の一端が延長用台１２１の自由端と連接しており、延長用ブッシュ５５の内部には軸穴５６が開設されており、回動ロッド７０は、連接端７５と、外径が軸穴５６の内径よりも大きいヘッド部７４と、を有し、連接端７５は、軸穴５６に収容されており、その軸方向に沿う第四収容空間７６が開設されており、主軸４０の環状突起４１から遠ざかった一端が第四収容空間４６によって連接端７５と連接しており、ヘッド部７５には、その軸方向に沿う第五収容空間７７が開設されており、化粧具６０の一端が第五収容空間７７によってヘッド部７５に脱着自在に組み付けられている。
【００３０】
ブッシュ５０は、その一部が円形断面窪み１２２の外部に突出しており、延長用ブッシュ５５の軸穴５６に固定されているので、ブッシュ５０と延長用ブッシュ５５とは延長用台１２１に対して延長用台１２１の軸心を中心として回動できなくなる。一方、本実施例では、ビン８０が開口を有し、前記開口には、蓋１２と螺合可能の螺合具８１と、スクレーパ８２と、が設けられており、スクレーパ８２には、その軸方向に沿う貫通孔８３が開設されており、延長用台１２１は、貫通孔８３に貫入されており、スクレーパ８２の軸方向に沿ってスクレーパ８２に対して移動可能であり、そうすると、ビン８０から化粧具６０を引き出しているときに、延長用台１２１と延長用ブッシュ５５と化粧具６０とに付着されている化粧品を適度に掠め取ることができる。
【産業上の利用可能性】
【００３１】
本考案は、化粧装置に適用することができる。
【符号の説明】
【００３２】
１０：本体、１１：振動モータモジュール、１２：蓋、１３：切替部、１４：片状バネ、１５：絶縁具、１６：連結ユニット、２０：握り部、３０：緩衝用ブッシュ、３１：切込み、４０：主軸、４１：環状突起、５０：ブッシュ、５５：延長用ブッシュ、５６：軸穴、５７：パッキン、６０，６０´：化粧具、７０：回動ロッド、７１：第一収容空間、７２：第二収容空間、７３：第三収容空間、７４：ヘッド部、７５：連接端、７６：第四収容空間、７７：第五収容空間、８０：ビン、８１：螺合具、８２：スクレーパ、８３：貫通孔、９０：ＬＥＤ光源、１１１：振動モータ、１１２：スイッチ、１１３：電源、１１４：ケース、１１５：結合部、１１６：押上ロッド、１１７：絶縁片、１１８：連接台、１１９：押上エッジ、１２１：延長用台、１２２：円形断面窪み。
【図１】
0003151147.tif 000003
【図２Ａ】
0003151147.tif 000004
【図２Ｂ】
0003151147.tif 000005
【図２Ｃ】
0003151147.tif 000006
【図３Ａ】
0003151147.tif 000007
【図３Ｂ】
0003151147.tif 000008
【図４】
0003151147.tif 000009
【図５Ａ】
0003151147.tif 000010
【図５Ｂ】
0003151147.tif 000011
【図６Ａ】
0003151147.tif 000012
【図６Ｂ】
0003151147.tif 000013